(57)【特許請求の範囲】
【請求項１】
ロール状に巻かれた感光材を収納する感光材収納部と、撮影済みフィルムの撮影画像を上記感光材に焼き付ける焼付け部と、上記感光材を上記感光材収納部から上記焼付け部まで搬送するとともに、上記撮影画像が焼き付けられた感光材を上記焼付け部から搬出する感光材搬送手段とを備え、外部からの電源の供給を受けて上記焼付け部及び上記感光材搬送手段が動作する写真処理装置において、上記電源が投入されたときに、上記感光材の搬送状態に応じて上記感光材の搬送制御を行う感光材搬送制御手段を備えたことを特徴とする写真処理装置。
【請求項２】
請求項１記載の写真処理装置において、上記電源が投入されたときに上記感光材の先端が上記焼付け部に到達しているか否かを判別する搬送状態判別手段を備え、上記感光材搬送制御手段は、上記電源が投入されたときに、上記感光材の先端が上記焼付け部に到達していない場合には、上記感光材を上記感光材収納部に戻すものであることを特徴とする写真処理装置。
【請求項３】
請求項１記載の写真処理装置において、上記電源が投入されたときに、上記感光材の先端が上記焼付け部より搬送方向下流側に到達しているか否かを判別する搬送状態判別手段を備え、上記感光材搬送制御手段は、上記感光材の先端が上記焼付け部より上記搬送方向下流側に到達している場合には、上記感光材を少なくとも焼付け寸法だけ更に搬送させるものであることを特徴とする写真処理装置。
【請求項４】
ロール状に巻かれた感光材を収納する感光材収納部と、撮影済みフィルムの撮影画像を上記感光材に焼き付ける焼付け部と、上記感光材を上記感光材収納部から上記焼付け部まで搬送するとともに、上記撮影画像が焼き付けられた感光材を上記焼付け部から搬出する感光材搬送手段とを備え、外部からの電源の供給を受けて上記焼付け部及び上記感光材搬送手段が動作する写真処理装置において、上記焼付け部より搬送方向下流側に配設され、上記感光材を切断する切断手段と、上記感光材の切断を指示する切断指示手段と、記憶内容を保持するバックアップメモリと、上記感光材の切断が指示されると切断指示信号を上記バックアップメモリに書き込むとともに、上記感光材の切断が終了すると切断終了信号を上記バックアップメモリに書き込む記憶制御手段と、上記電源が投入されたときに、上記バックアップメモリに上記切断指示信号が記憶され、かつ上記切断終了信号が記憶されていない場合には、上記感光材を切断させた後、切断された上記搬送方向下流側の感光材を搬出させるとともに、切断された上記搬送方向上流側の感光材を上記感光材収納部に戻す一方、上記切断終了信号が記憶されている場合には、切断されている上記搬送方向下流側の感光材を搬出させるとともに、切断されている上記搬送方向上流側の感光材を上記感光材収納部に戻す感光材処理手段とを備えたことを特徴とする写真処理装置。
【請求項５】
請求項４記載の写真処理装置において、上記感光材の切断が指示されると、上記感光材を少なくとも焼付け寸法だけ搬送させる搬送制御手段を備え、上記記憶制御手段は、更に、上記搬送制御手段による搬送が終了すると搬送終了信号を上記バックアップメモリに書き込むもので、上記感光材処理手段は、上記電源が投入されたときに、上記バックアップメモリに上記切断指示信号が記憶され、かつ上記切断終了信号が記憶されていない場合において、更に、上記搬送終了信号が記憶されていない場合には、上記搬送制御手段による搬送が終了した後に上記感光材を切断させるものであることを特徴とする写真処理装置。
【発明の詳細な説明】
【０００１】
【発明の属する技術分野】
本発明は、撮影されたフィルムを用いて感光材の処理を行う写真処理装置に係り、特に瞬時電圧低下が発生したときでも感光材の処理を好適に行える写真処理装置に関するものである。
【０００２】
【従来の技術】
従来、感光材である印画紙（以下、「ペーパ」という。）をロール状に収納したマガジンからペーパを送り出し、プリント部において、現像済みのフィルムに記録された画像をペーパに焼き付け、現像部において、この焼き付けられたペーパを現像処理し、次いで、乾燥部において乾燥させた後、１駒毎に所定の寸法に切断して排出するようにした写真処理装置が普及している。この写真処理装置は、制御手段として商用電力系統から電源供給を受けて動作するマイクロコンピュータを備え、このマイクロコンピュータがペーパの搬送や焼付けなどの動作制御を行っている。
【０００３】
【発明が解決しようとする課題】
ところが、上記従来の写真処理装置では、動作中に商用電力系統において落雷や瞬間的な過負荷などにより瞬時電圧低下が発生し、マイクロコンピュータへの供給電圧がリセット電圧以下まで低下すると、供給電圧が正常レベルに復帰したときにマイクロコンピュータがリセットされて、初期設定処理から再開されることから、このときにマガジンから送り出されているペーパを検出することによってジャムが発生したと判断していた。このため、オペレータが装置カバーを開けて写真処理装置内の全てのペーパを取り除くジャム処理作業を行っており、これによって、焼付け処理済みのプリントも含めて、マガジンから送り出されている全てのペーパが無駄にされていた。
【０００４】
本発明は、上記問題を解決するもので、瞬時電圧低下が生じた場合でもペーパのジャム処理を不要にすることにより、ペーパのロスを低減するとともに、作業性の向上を図るようにした写真処理装置を提供することを目的とする。
【０００５】
【課題を解決するための手段】
本発明は、ロール状に巻かれた感光材を収納する感光材収納部と、撮影済みフィルムの撮影画像を上記感光材に焼き付ける焼付け部と、上記感光材を上記感光材収納部から上記焼付け部まで搬送するとともに、上記撮影画像が焼き付けられた感光材を上記焼付け部から搬出する感光材搬送手段とを備え、外部からの電源の供給を受けて上記焼付け部及び上記感光材搬送手段が動作する写真処理装置において、上記電源が投入されたときに、上記感光材の搬送状態に応じて上記感光材の搬送制御を行う感光材搬送制御手段を備えたものである（請求項１）。
【０００６】
この構成によれば、電源が投入されたときに、感光材の搬送状態に応じて感光材の搬送制御が行われることにより、動作中に生じた瞬時電圧低下等の影響で電源投入時に感光材が感光材収納部から送り出されている場合でも、オペレータによる感光材の除去作業が不要になり、感光材の損失が低減するとともに、作業性が向上することとなる。
【０００７】
また、請求項１記載の写真処理装置において、上記電源が投入されたときに上記感光材の先端が上記焼付け部に到達しているか否かを判別する搬送状態判別手段を備え、上記感光材搬送制御手段は、上記電源が投入されたときに、上記感光材の先端が上記焼付け部に到達していない場合には、上記感光材を上記感光材収納部に戻すものである（請求項２）。
【０００８】
この構成によれば、電源が投入されたときに、感光材の先端が焼付け部に到達しているか否かが判別される。そして、感光材の先端が焼付け部に到達していない場合には、感光材が感光材収納部に戻されることにより、動作中に生じた瞬時電圧低下等の影響で電源投入時に感光材が感光材収納部から送り出されている場合でも、感光材の先端から使用されることになり、感光材の損失が低減するとともに、オペレータによる感光材の除去作業が不要になるので、作業性が向上することとなる。
【０００９】
また、請求項１記載の写真処理装置において、上記電源が投入されたときに、上記感光材の先端が上記焼付け部より搬送方向下流側に到達しているか否かを判別する搬送状態判別手段を備え、上記感光材搬送制御手段は、上記感光材の先端が上記焼付け部より上記搬送方向下流側に到達している場合には、上記感光材を少なくとも焼付け寸法だけ更に搬送させるものである（請求項３）。
【００１０】
この構成によれば、電源が投入されたときに、感光材の先端が焼付け部より搬送方向下流側に到達しているか否かが判別される。そして、感光材の先端が焼付け部より搬送方向下流側に到達している場合には、感光材が少なくとも焼付け寸法だけ更に搬送されることにより、感光材への焼付けが重ねて行われるのが確実に防止される。
【００１１】
また、ロール状に巻かれた感光材を収納する感光材収納部と、撮影済みフィルムの撮影画像を上記感光材に焼き付ける焼付け部と、上記感光材を上記感光材収納部から上記焼付け部まで搬送するとともに、上記撮影画像が焼き付けられた感光材を上記焼付け部から搬出する感光材搬送手段とを備え、外部からの電源の供給を受けて上記焼付け部及び上記感光材搬送手段が動作する写真処理装置において、上記焼付け部より搬送方向下流側に配設され、上記感光材を切断する切断手段と、上記感光材の切断を指示する切断指示手段と、記憶内容を保持するバックアップメモリと、上記感光材の切断が指示されると切断指示信号を上記バックアップメモリに書き込むとともに、上記感光材の切断が終了すると切断終了信号を上記バックアップメモリに書き込む記憶制御手段と、上記電源が投入されたときに、上記バックアップメモリに上記切断指示信号が記憶され、かつ上記切断終了信号が記憶されていない場合には、上記感光材を切断させた後、切断された上記搬送方向下流側の感光材を搬出させるとともに、切断された上記搬送方向上流側の感光材を上記感光材収納部に戻す一方、上記切断終了信号が記憶されている場合には、切断されている上記搬送方向下流側の感光材を搬出させるとともに、切断されている上記搬送方向上流側の感光材を上記感光材収納部に戻す感光材処理手段とを備えたものである（請求項４）。
【００１２】
この構成によれば、電源が投入されたときに、バックアップメモリに切断指示信号が記憶され、かつ切断終了信号が記憶されていない場合には、感光材が切断された後、切断された搬送方向下流側の感光材が搬出されるとともに、切断された搬送方向上流側の感光材が感光材収納部に戻され、一方、切断終了信号が記憶されている場合には、切断されている搬送方向下流側の感光材が搬出されるとともに、切断されている搬送方向上流側の感光材が感光材収納部に戻されることにより、切断の指示後で切断終了前に瞬時電圧低下等が生じた場合でも、感光材の切断が確実に行われ、感光材の損失が低減するとともに、オペレータによる感光材の除去作業が不要になるので、作業性が向上することとなる。
【００１３】
また、請求項４記載の写真処理装置において、上記感光材の切断が指示されると、上記感光材を少なくとも焼付け寸法だけ搬送させる搬送制御手段を備え、上記記憶制御手段は、更に、上記搬送制御手段による搬送が終了すると搬送終了信号を上記バックアップメモリに書き込むもので、上記感光材処理手段は、上記電源が投入されたときに、上記バックアップメモリに上記切断指示信号が記憶され、かつ上記切断終了信号が記憶されていない場合において、更に、上記搬送終了信号が記憶されていない場合には、上記搬送制御手段による搬送が終了した後に上記感光材を切断させるものである（請求項５）。
【００１４】
この構成によれば、電源が投入されたときに、バックアップメモリに切断指示信号が記憶され、かつ切断終了信号が記憶されていない場合において、更に、搬送終了信号が記憶されていない場合には、搬送制御手段により感光材が少なくとも焼付け寸法だけ搬送された後で切断されることにより、切断の指示後で感光材の搬送終了前に瞬時電圧低下等が生じた場合でも、感光材の切断が確実に焼き付けられた感光材の下流側で行われ、これによって感光材の損失が低減することとなる。
【００１５】
【発明の実施の形態】
図１４は本発明に係る写真処理装置の一実施形態の構成図である。
この写真処理装置は、左下部に配設されたペーパ収納部１と、このペーパ収納部１の上方に配設されたプリント部２と、このプリント部２の右方に配設された現像部３と、この現像部３の右方に配設された乾燥部４と、この乾燥部４の上方に配設された排出部５とを備えている。
【００１６】
ペーパ収納部１は、ロール状に巻き取られたペーパＰを収納するマガジン１１ａ，１１ｂと、このマガジン１１ａ，１１ｂがそれぞれ配設され、内部を遮光するケーシング１２ａ，１２ｂとを備えている。プリント部２は、ほぼ中央に配設され、現像済みのフィルムに記録された画像をペーパＰに焼き付ける焼付け部２１を備えるとともに、ペーパＰをケーシング１２ａ，１２ｂの開口部１３ａ，１３ｂから焼付け部２１を通過させて現像部３との間に設けられた境界口６に導く図略の搬送ガイドを有するペーパ搬送路２２を備えている。
【００１７】
現像部３は、画像が焼き付けられたペーパＰを現像処理するもので、乾燥部４は、現像処理されたペーパＰを乾燥するもので、排出部５は、乾燥したペーパＰを１駒毎に所定の寸法で切断して排出するものである。なお、現像部３の最短送り長さ、すなわち搬送可能なペーパＰの最短寸法は、５５０ｍｍになっている。
【００１８】
プリント部２の上記ペーパ搬送路２２には、ペーパＰを搬送するための搬送ローラが配設されている。すなわち、ペーパＰの搬送方向上流側から順に、ケーシング１２ａの開口部１３ａの近傍に搬送ローラ対２３ａが配設され、ケーシング１２ｂの開口部１３ｂの近傍に搬送ローラ対２３ｂが配設され、搬送ローラ対２３ａの右方に後述するループを形成するためのガイドローラ２４，２５が配設されている。
【００１９】
また、ガイドローラ２５の上方に搬送ローラ対２６が配設され、搬送ローラ対２６の上方に搬送方向を焼付け部２１に向けて水平方向に変更する搬送ローラ２７が配設され、焼付け部２１の左方に搬送方向を上方に変更する搬送ローラ２８が配設され、搬送ローラ２８の上方に搬送方向を水平方向に変更する搬送ローラ２９が配設されている。
【００２０】
また、この搬送ローラ２９の右方に搬送ローラ対３０が配設され、この搬送ローラ対３０の右方に搬送ローラ３１が配設され、この搬送ローラ３１の下方に搬送方向を境界口６に向ける搬送ローラ３２が配設されている。この搬送ローラ対３０と搬送ローラ３１の間には、ペーパＰを弛ませた状態で保持するためのスペースとして、ストック部３３が設けられている。
【００２１】
上記搬送ローラ対２６は、ペーパ搬送路２２の両側に互いに対向して配設された駆動ローラ２６１と従動ローラ２６２とからなり、従動ローラ２６２には圧着ソレノイドＳＬが連結されている。この圧着ソレノイドＳＬは、オンになると従動ローラ２６２を駆動ローラ２６１に圧接してペーパＰの搬送を可能にし、オフになると従動ローラ２６２を駆動ローラ２６１から離間させてペーパＰをフリー状態にするものである。
【００２２】
また、このペーパ搬送路２２には、ペーパＰの搬送方向上流側から順に、センサが配設されている。すなわち、開口部１３ａと搬送ローラ対２３ａとの間に先端センサＳ１ａが配設され、搬送ローラ対２３ａの直ぐ右方にエンドセンサＳ２ａが配設され、開口部１３ｂと搬送ローラ対２３ｂとの間に先端センサＳ１ｂが配設され、搬送ローラ対２３ｂの直ぐ右方にエンドセンサＳ２ｂが配設されている。
【００２３】
また、ガイドローラ２４の左方に待機センサＳ３ａ，Ｓ３ｂが配設され、搬送ローラ２６の上方にローディングセンサＳ４が配設され、搬送ローラ２７の直ぐ左方にローディングセンサＳ５が配設され、搬送ローラ２８の上方にローディングセンサＳ６が配設され、搬送ローラ２９の右方に位置センサＳ７が配設され、搬送ローラ３０の左方に位置センサＳ８が配設され、搬送ローラ３１の搬送方向下流側にカットマークセンサＳ９が配設されている。
【００２４】
また、上記ストック部３３には、上から順にストックセンサＳ１０，Ｓ１１，Ｓ１２が配設されている。また、搬送ローラ３２と境界口６との間には、レディセンサＳ１３が配設されている。
【００２５】
各センサＳ１ａ〜Ｓ１３は、ＬＥＤなどからなる発光部とフォトトランジスタなどからなる受光部とがそれぞれペーパ搬送路２２の両側に互いに対向して配設されたフォトインタラプタで構成され、ペーパＰがないときは発光部からの発光光が透過して受光部に受光され、ペーパＰがあるときは発光部から受光部への光が遮断されることにより、ペーパＰの有無が検出されるようになっている。
【００２６】
また、ペーパ搬送路２２には、ペーパＰを切断するためのマニュアルカッターＭＣが焼付け部２１と搬送ローラ２８との間に、オートカッターＡＣがカットマークセンサＳ９の直ぐ下方に、それぞれ配設されている。
【００２７】
また、プリント部２は、搬送ローラ対２３ａ，２３ｂの各駆動ローラを回転駆動する供給モータＭ１と、搬送ローラ２６，２７を回転駆動するローディングモータＭ２と、搬送ローラ２８を回転駆動する搬送モータＭ３と、搬送ローラ２９，３０を回転駆動する搬送モータＭ４と、搬送ローラ３１を回転駆動する搬送モータＭ５と、搬送ローラ３２を回転駆動するプロセサ駆動モータＭ６とを備えている。搬送モータＭ４，Ｍ５は、ステッピングモータからなり、供給される駆動パルス数によってペーパＰの搬送量が制御される。
【００２８】
また、ペーパ搬送路２２のガイドローラ２５の近傍には、供給ループガイド３４と、ループガイド駆動モータＭ７とが配設され、ガイドローラ２４の右方にはループ形成部３５が設けられている。ガイドローラ２５及び供給ループガイド３４は、ループガイド駆動モータＭ７の回転軸に連結されている。供給ループガイド３４は、ペーパＰの搬送を案内するもので、ループ形成部３５は、マガジン１１ａ，１１ｂから送り出されたペーパＰを弛ませた状態にするためのスペースである。
【００２９】
ループガイド駆動モータＭ７は、ガイドローラ２５及び供給ループガイド３４を図中、二点鎖線で示す位置まで回転移動させるもので、ガイドローラ２５が回転移動すると、ペーパＰは、図中、二点鎖線で示すように、その自重によって弛んだ状態になる。これによって、供給モータＭ１の回転速度を、他のモータＭ２〜Ｍ６の回転速度から独立して制御することが可能になる。
【００３０】
図１は本写真処理装置の制御系を示すブロック図である。
本写真処理装置の制御系は、ペーパ検出部４１と、アクチュエータ部４２と、駆動回路４３と、バックアップＲＡＭ４４と、ＲＯＭ４５と、ＲＡＭ４６と、表示部４７と、入力部４８と、ＣＰＵ４９とを備えている。
【００３１】
ペーパ検出部４１は、上記各センサＳ１ａ〜Ｓ１３からなり、アクチュエータ部４２は、上記各モータＭ１〜Ｍ７、各カッターＡＣ，ＭＣ及び圧着ソレノイドＳＬからなり、駆動回路４３は、アクチュエータ部４２の各部に駆動電流を供給するものである。
【００３２】
バックアップＲＡＭ４４は、後述する所定のデータを記憶するもので、電池Ｂが接続されており、停電が生じても記憶内容が消えないようになされている。ＲＯＭ４５は、この写真処理装置の制御プログラム、パノラマサイズやＬサイズなどのプリントサイズに関する情報であるプリントチャンネルや、予め設定されたデータなどを記憶するもので、ＲＡＭ４６は、データを一時的に保管するものである。
【００３３】
表示部４７は、本装置の上面適所に配設され、ＬＣＤなどからなり、後述する使用者へのメッセージを表示するものである。入力部４８は、本装置の上面適所に配設され、マニュアルカッターＭＣによるペーパＰの切断を指示するマニュアルカット指示キー４８１と、表示部４７に表示されたメッセージに対する指示を選択するためのＹＥＳキー４８２及びＮＯキー４８３とを備えている。
【００３４】
ＣＰＵ４９は、ＲＯＭ４５に記憶された制御プログラムにしたがって本写真処理装置全体の動作を制御するもので、後述するように、電源投入時にはペーパ検出部４１の各センサの検出状態に応じて各部の動作を制御してペーパＰの搬送処理を行わせるものである。また、ＣＰＵ４９は、動作中のフィルムサイズに対応するプリントチャンネル情報をバックアップＲＡＭ４４に記憶させる。
【００３５】
また、ＣＰＵ４９は、プリント部２から現像部３へのペーパＰの搬送寸法を搬送モータＭ５に供給する駆動パルス数をカウントすることによって計測し、搬送寸法が所定寸法（本実施形態では８ｍ）になる毎に、オートカッターＡＣによってペーパＰを切断させる。
【００３６】
また、ＣＰＵ４９は、マニュアルカットを行う際には、所定の情報をバックアップＲＡＭ４４に記憶させる。すなわち、マニュアルカット指示キー４８１を用いてペーパＰの切断が指示されると、まず、カッターオン指令信号をバックアップＲＡＭ４４に記憶させ、次いで、ペーパＰの焼付けされた部分をマニュアルカッターＭＣの下流側に搬送するためにプリントサイズに応じた所定寸法、すなわち焼付け部２１からマニュアルカッターＭＣまでの距離と焼付け寸法を加算した距離だけ搬送するとともに、この搬送が終了すると、搬送終了信号をバックアップＲＡＭ４４に記憶させ、次いで、ペーパＰの切断が終了すると、カット終了信号をバックアップＲＡＭ４４に記憶させる。
【００３７】
なお、本写真処理装置は、商用電源に接続され、商用電圧を所定電圧に降圧するとともに、整流、平滑する図略の直流電源部を備え、バックアップＲＡＭ４４以外の各部４１〜４３及び４５〜４９には、この直流電源部から電源が供給されている。そして、ＣＰＵ４９は、供給される電源電圧が所定のリセット電圧以下になると、リセットされるようになっている。
【００３８】
次に、図２〜図１３を用いて、本写真処理装置の動作について説明する。図２はメインルーチンのフローチャートである。
電源が投入されると、まず、ＲＡＭ４６へのデフォルト値の設定などの初期設定処理が行われ（ステップＳ１００）、次いで、後述するペーパ搬送処理が行われ（ステップＳ１１０）、続いて、通常の動作処理が行われる（ステップＳ１２０）。
【００３９】
図３、図４は図２のステップＳ１１０のペーパ搬送処理サブルーチンのフローチャートである。
なお、以下のフローチャートにおいて、説明の便宜上、先端センサＳ１ａ及び先端センサＳ１ｂを先端センサＳ１、エンドセンサＳ２ａ及びエンドセンサＳ２ｂをエンドセンサＳ２、待機センサＳ３ａ及び待機センサＳ３ｂを待機センサＳ３と表現する。
【００４０】
まず、先端センサＳ１によりペーパＰが検出されているかどうかが判別され（ステップＳ２００）、検出されていなければ（ステップＳ２００でＮＯ）、ステップＳ２１０に進む。
【００４１】
一方、ステップＳ２００でペーパＰが検出されていれば（ステップＳ２００でＹＥＳ）、次いで、エンドセンサＳ２によりペーパＰが検出されているかどうかが判別される（ステップＳ２２０）。そして、エンドセンサＳ２によりペーパＰが検出されていなければ（ステップＳ２２０でＮＯ）、ペーパＰは、その先端部分のみ先端センサＳ１まで引き出されていることになるが、この状態で通常動作が可能であるので、このままサブルーチンを終了する。
【００４２】
一方、ステップＳ２２０でペーパＰが検出されていれば（ステップＳ２２０でＹＥＳ）、次いで、待機センサＳ３によりペーパＰが検出されているかどうかが判別され（ステップＳ２３０）、待機センサＳ３によりペーパＰが検出されていなければ（ステップＳ２３０でＮＯ）、ペーパＰは、その先端部分のみエンドセンサＳ２まで引き出されていることになるが、この状態で通常動作が可能であるので、このままサブルーチンを終了する。
【００４３】
一方、ステップＳ２３０でペーパＰが検出されていれば（ステップＳ２３０でＹＥＳ）、次いで、ローディングセンサＳ４によりペーパＰが検出されているかどうかが判別され（ステップＳ２４０）、検出されていなければ（ステップＳ２４０でＮＯ）、後述する第１の処理サブルーチンに進んだ後（ステップＳ２５０）、このサブルーチンを終了する。
【００４４】
一方、ステップＳ２４０でペーパＰが検出されていれば（ステップＳ２４０でＹＥＳ）、次いで、ローディングセンサＳ５によりペーパＰが検出されているかどうかが判別され（ステップＳ２６０）、検出されていなければ（ステップＳ２６０でＮＯ）、後述する第２の処理サブルーチンに進んだ後（ステップＳ２７０）、このサブルーチンを終了する。
【００４５】
一方、ステップＳ２６０でペーパＰが検出されていれば（ステップＳ２６０でＹＥＳ）、次いで、ローディングセンサＳ６によりペーパＰが検出されているかどうかが判別され（ステップＳ２８０）、検出されていなければ（ステップＳ２８０でＮＯ）、後述する第３の処理サブルーチンに進んだ後（ステップＳ２９０）、このサブルーチンを終了する。
【００４６】
一方、ステップＳ２８０でペーパＰが検出されていれば（ステップＳ２８０でＹＥＳ）、次いで、位置センサＳ７によりペーパＰが検出されているかどうかが判別され（ステップＳ３００）、検出されていなければ（ステップＳ３００でＮＯ）、後述する第４の処理サブルーチンに進んだ後（ステップＳ３１０）、このサブルーチンを終了する。
【００４７】
一方、ステップＳ３００でペーパＰが検出されていれば（ステップＳ３００でＹＥＳ）、次いで、カッターオンの指令信号がバックアップＲＡＭ４４に記憶されているかどうかが判別され（ステップＳ３２０）、記憶されていれば（ステップＳ３２０でＹＥＳ）、後述する第５の処理サブルーチンに進んだ後（ステップＳ３３０）、このサブルーチンを終了する。
【００４８】
一方、ステップＳ３２０でカッターオンの指令信号がバックアップＲＡＭ４４に記憶されていなければ（ステップＳ３２０でＮＯ）、位置センサＳ８によりペーパＰが検出されているかどうかが判別され（ステップＳ３４０）、検出されていれば（ステップＳ３４０でＹＥＳ）、カットマークセンサＳ９によりペーパＰが検出されているかどうかが判別され（ステップＳ３５０）、検出されていれば（ステップＳ３５０でＹＥＳ）、ストックセンサＳ１０によりペーパＰが検出されているかどうかが判別され（ステップＳ３６０）、検出されていれば（ステップＳ３６０でＹＥＳ）、ストックセンサＳ１１によりペーパＰが検出されているかどうかが判別され（ステップＳ３７０）、検出されていれば（ステップＳ３７０でＹＥＳ）、ストックセンサＳ１２によりペーパＰが検出されているかどうかが判別され（ステップＳ３８０）、検出されていれば（ステップＳ３８０でＹＥＳ）、後述する第６の処理サブルーチンに進んだ後（ステップＳ３９０）、このサブルーチンを終了する。
【００４９】
一方、ステップＳ３４０〜Ｓ３８０のいずれかにおいて、ペーパＰが検出されていなければ（ステップＳ３４０〜Ｓ３８０のいずれかでＮＯ）、後述する第７の処理サブルーチンに進んだ後（ステップＳ４００）、このサブルーチンを終了する。
【００５０】
ステップＳ２１０において、ローディングセンサＳ６によりペーパＰが検出されているかどうかが判別され、検出されていなければ（ステップＳ２１０でＮＯ）、次いで、ローディングセンサＳ５によりペーパＰが検出されているかどうかが判別され（ステップＳ４１０）、検出されていなければ（ステップＳ４１０でＮＯ）、このサブルーチンを終了し、検出されていれば（ステップＳ４１０でＹＥＳ）、後述する第８の処理サブルーチンに進んだ後（ステップＳ４２０）、このサブルーチンを終了する。
【００５１】
一方、ローディングセンサＳ６によりペーパＰが検出されていれば（ステップＳ２１０でＹＥＳ）、次いで、ストックセンサＳ１２によりペーパＰが検出されているかどうかが判別され（ステップＳ４３０）、検出されていなければ（ステップＳ４１０でＮＯ）、後述する第４の処理サブルーチンに進んだ後（ステップＳ４４０）、このサブルーチンを終了する。
【００５２】
一方、ステップＳ４３０において、ペーパＰが検出されていれば（ステップＳ４３０でＹＥＳ）、後述する第９の処理サブルーチンに進んだ後（ステップＳ４５０）、このサブルーチンを終了する。
【００５３】
図５は図３のステップＳ２５０の第１の処理サブルーチンのフローチャートである。
まず、供給ループガイド３４が開いているかどうかが判別され（ステップＳ５００）、開いていれば（ステップＳ５００でＹＥＳ）、ステップＳ５２０に進み、一方、開いていなければ（ステップＳ５００でＮＯ）、ループガイド駆動モータＭ７を駆動して供給ループガイド３４が開かれる（ステップＳ５１０）。
【００５４】
次いで、供給モータＭ１が逆転駆動され（ステップＳ５２０）、待機センサＳ３によりペーパＰが検出されているかどうかが判別され（ステップＳ５３０）、検出されている間は（ステップＳ５３０でＹＥＳ）、ステップＳ５２０に戻って供給モータＭ１の逆転駆動が継続され、ペーパＰが検出されなくなると（ステップＳ５３０でＮＯ）、供給モータＭ１が停止して（ステップＳ５４０）、このサブルーチンを終了する。
【００５５】
第１の処理サブルーチンに移行したときは、ペーパＰは、その先端が待機センサＳ３とローディングセンサＳ４の間まで引き出された状態になっており、以上の手順によって、ペーパＰの先端は待機センサＳ３の上流側まで戻された状態で通常動作に移行することになる。これによって、ペーパＰを先端から使用することができ、ペーパＰの損失を防止することができる。
【００５６】
図６は図３のステップＳ２７０の第２の処理サブルーチンのフローチャートである。
まず、圧着ソレノイドＳＬがオンにされて従動ローラ２６２が駆動ローラ２６１に圧接され（ステップＳ６００）、次いで、供給ループガイド３４が開いているかどうかが判別され（ステップＳ６１０）、開いていれば（ステップＳ６１０でＹＥＳ）、ステップＳ６３０に進み、一方、開いていなければ（ステップＳ６１０でＮＯ）、ループガイド駆動モータＭ７を駆動して供給ループガイド３４が開かれる（ステップＳ６２０）。
【００５７】
次いで、供給モータＭ１が逆転駆動され（ステップＳ６３０）、ローディングモータＭ２が逆転駆動され（ステップＳ６４０）、次いで、ローディングセンサＳ４によりペーパＰが検出されているかどうかが判別され（ステップＳ６５０）、検出されている間は（ステップＳ６５０でＹＥＳ）、ステップＳ６３０に戻って供給モータＭ１及びローディングモータＭ２の逆転駆動が継続され、ペーパＰが検出されなくなると（ステップＳ６５０でＮＯ）、ローディングモータＭ２が停止し（ステップＳ６６０）、圧着ソレノイドＳＬがオフにされる（ステップＳ６７０）。
【００５８】
次いで、待機センサＳ３によりペーパＰが検出されているかどうかが判別され（ステップＳ６８０）、検出されている間は（ステップＳ６８０でＹＥＳ）、そのままの状態、すなわち供給モータＭ１の逆転駆動が継続され、ペーパＰが検出されなくなると（ステップＳ６８０でＮＯ）、供給モータＭ１が停止して（ステップＳ６９０）、このサブルーチンを終了する。
【００５９】
第２の処理サブルーチンに移行したときは、ペーパＰは、その先端がローディングセンサＳ４とローディングセンサＳ５の間まで引き出された状態になっており、以上の手順によって、ペーパＰの先端は待機センサＳ３の上流側まで戻された状態で通常動作に移行することになる。これによって、ペーパＰを先端から使用することができ、ペーパＰの損失を防止することができる。
【００６０】
図７は図３のステップＳ２９０の第３の処理サブルーチンのフローチャートである。
ステップＳ７００〜Ｓ７９０は、ステップＳ６００〜Ｓ６９０と同一であるので、説明を省略する。
【００６１】
ステップＳ７９０に続いて、二重露光を確実に防止するために、６８０ｍｍ（焼付け部２１からローディングセンサＳ６までの搬送距離）の先端処理を行うかどうかの選択をオペレータに促すメッセージ表示が行われて（ステップＳ８００）、このサブルーチンを終了する。
【００６２】
なお、ステップＳ８００のメッセージ表示に対してＮＯキー４７３が押されたときは、通常動作処理（図２のステップＳ１２０）において、次の指示を待機し、ＹＥＳキー４７２が押されたときは、６８０ｍｍ分だけペーパＰを搬送する先端処理が行われて通常動作処理（図２のステップＳ１２０）の内の焼付け処理に直接移行する。
【００６３】
第３の処理サブルーチンに移行したときは、ペーパＰは、その先端がローディングセンサＳ５とローディングセンサＳ６の間まで引き出された状態になっており、以上の手順によって、ペーパＰの先端は待機センサＳ３の上流側まで戻されて通常動作に移行するか、又は露光位置から６８０ｍｍ分だけペーパＰが搬送された状態で通常動作の内の焼付け処理に移行することになる。これによって、ペーパＰを先端あるいはオペレータの選択により先端から６８０ｍｍの位置から使用することができ、ペーパＰの損失を防止することができる。
【００６４】
図８は図４のステップＳ３１０、図３のステップＳ４４０の第４の処理サブルーチンのフローチャートである。
まず、プリントチャンネルがバックアップＲＡＭ４４に記憶されているかどうかが判別され（ステップＳ９００）、記憶されていれば（ステップＳ９００でＹＥＳ）、ローディングモータＭ２及び搬送モータＭ３，Ｍ４を駆動することにより、そのプリントチャンネルの最大送り寸法（例えばパノラマサイズであれば２５４ｍｍ、Ｌサイズであれば１２７ｍｍ）だけ搬送されて（ステップＳ９１０）、このサブルーチンを終了し、一方、プリントチャンネルがバックアップＲＡＭ４４に記憶されていなければ（ステップＳ９００でＮＯ）、本装置の最大送り寸法（本実施形態では３０５ｍｍ）だけ搬送されて（ステップＳ９２０）、このサブルーチンを終了する。
【００６５】
第４の処理サブルーチンに移行したときは、図４のステップＳ３１０の場合には、ペーパＰは、その先端がローディングセンサＳ６と位置センサＳ７の間まで引き出された状態になっており、既に複数枚のプリントが完了している。
【００６６】
一方、図３のステップＳ４４０の場合には、ペーパＰの終端がマガジン１１ａ又は１１ｂから送り出されてマガジン内は空になっており、ペーパＰはローディングセンサＳ６の前後に亘っている状態であって、かつ、ストック部３３の弛み量がストックセンサＳ１２より上方に留まった状態になっている。
【００６７】
そして、以上の手順によって、プリントサイズに応じた最大送り寸法だけペーパＰが搬送されて通常動作に移行することになり、既に完了している焼付け領域に対して、次の焼付けが重ねて行われるような事態を確実に防止することができる。
【００６８】
図９は図４のステップＳ３３０の第５の処理サブルーチンのフローチャートである。
まず、供給ループガイド３４が開いているかどうかが判別され（ステップＳ１０００）、開いていれば（ステップＳ１０００でＹＥＳ）、ステップＳ１０２０に進み、一方、開いていなければ（ステップＳ１０００でＮＯ）、ループガイド駆動モータＭ７を駆動して供給ループガイド３４が開かれる（ステップＳ１０１０）。
【００６９】
次いで、カッターオン指令信号が出された後でペーパＰの搬送が終了した旨の搬送終了信号がバックアップＲＡＭ４４に記憶されているかどうかが判別され（ステップＳ１０２０）、記憶されていれば（ステップＳ１０２０でＹＥＳ）、ステップＳ１０３０に進む。
【００７０】
一方、ペーパＰの搬送終了信号がバックアップＲＡＭ４４に記憶されていなければ（ステップＳ１０２０でＮＯ）、プリントチャンネルがバックアップＲＡＭ４４に記憶されているかどうかが判別され（ステップＳ１０４０）、記憶されていれば（ステップＳ１０４０でＹＥＳ）、ローディングモータＭ２及び搬送モータＭ３，Ｍ４を駆動することにより、そのプリントチャンネルの最大送り寸法（例えばパノラマサイズであれば２５４ｍｍ、Ｌサイズであれば１２７ｍｍ）だけ搬送されて（ステップＳ１０５０）、ステップＳ１０７０に進み、一方、プリントチャンネルがバックアップＲＡＭ４４に記憶されていなければ（ステップＳ１０４０でＮＯ）、本装置の最大送り寸法（本実施形態では３０５ｍｍ）だけ搬送されて（ステップＳ１０６０）、ステップＳ１０７０に進む。
【００７１】
ステップＳ１０３０において、カット終了信号がバックアップＲＡＭ４４に記憶されているかどうかが判別され、記憶されていれば（ステップＳ１０３０でＹＥＳ）、ステップＳ１０８０に進み、一方、カット終了信号がバックアップＲＡＭ４４に記憶されていなければ（ステップＳ１０３０でＮＯ）、マニュアルカッターＭＣによりマニュアルカットが行わる（ステップＳ１０７０）。
【００７２】
次いで、切断されたペーパＰのマニュアルカッターＭＣより上流部分、すなわちペーパＰの未露光部分が、供給モータＭ１及びローディングモータＭ２を駆動することにより第２の処理サブルーチン（図６）と同様の手順で待機センサＳ３の上流側まで戻されるとともに（ステップＳ１０８０）、ペーパＰのマニュアルカッターＭＣより下流部分、すなわちペーパＰの露光済み部分が、搬送モータＭ３〜Ｍ５及びプロセサ駆動モータＭ６を駆動することにより、現像部３に向けて搬送される（ステップＳ１０９０）。
【００７３】
第５の処理サブルーチンに移行したときは、ペーパＰは、その先端が位置センサＳ７より下流側まで引き出された状態になっており、バックアップＲＡＭ４４にカッターオンの指令信号が記憶されている。
【００７４】
そして、以上の手順により、搬送終了信号がバックアップＲＡＭ４４に記憶されている場合には、そのまま切断し、搬送終了信号がバックアップＲＡＭ４４に記憶されていない場合には、プリントサイズに対応する最大送り寸法だけペーパＰを搬送することによって、確実に焼付け部２１で焼き付けられたペーパＰの下流側で切断することができる。
【００７５】
また、この切断終了後及びカット終了信号がバックアップＲＡＭ４４に記憶されている場合には、切断された下流側のペーパＰを現像部３に向けて搬送するとともに、切断された上流側のペーパＰの先端を待機センサＳ３の上流側まで戻すことによって、ペーパＰの損失を防止することができる。
【００７６】
図１０は図４のステップＳ３９０の第６の処理サブルーチンのフローチャートである。
まず、ローディングモータＭ２及び搬送モータＭ３，Ｍ４を駆動してペーパＰが図９のステップＳ１０４０〜Ｓ１０６０と同様の手順で搬送されることにより、ペーパＰの露光済み部分がマニュアルカット位置の下流側まで搬送され（ステップＳ１１００）、次いでマニュアルカッターＭＣによりマニュアルカットが行われる（ステップＳ１１１０）。
【００７７】
続いて、切断されたペーパＰのマニュアルカッターＭＣより上流部分、すなわちペーパＰの未露光部分が、供給モータＭ１及びローディングモータＭ２を駆動することにより第２の処理サブルーチン（図６）と同様の手順で待機センサＳ３の上流側まで戻されるとともに（ステップＳ１１２０）、搬送モータＭ３〜Ｍ５及びプロセサ駆動モータＭ６を駆動することにより、ペーパＰのマニュアルカッターＭＣより下流部分、すなわちペーパＰの露光済み部分が現像部３に向けて搬送される（ステップＳ１１３０）。
【００７８】
そして、ペーパＰが現像部３に向けて５５０ｍｍだけ搬送されるまでは（ステップＳ１１４０でＮＯ）、ステップＳ１１３０に戻って搬送が継続され、ペーパＰが５５０ｍｍだけ搬送されると（ステップＳ１１４０でＹＥＳ）、搬送モータＭ５が一旦停止し（ステップＳ１１５０）、次いで、オートカッターＡＣが駆動されてオートカットが行われる（ステップＳ１１６０）。
【００７９】
続いて、ペーパＰがレディセンサＳ１３により検出されているかどうかが判別され（ステップＳ１１７０）、ペーパＰが検出されている間は駆動状態がそのまま継続され（ステップＳ１１７０でＹＥＳ）、駆動しているプロセサ駆動モータＭ６によりペーパＰが搬送されることによって、レディセンサＳ１３により検出されなくなると（ステップＳ１１７０でＮＯ）、搬送モータＭ５の回転駆動が再開されて（ステップＳ１１８０）、このサブルーチンを終了する。
【００８０】
第６の処理サブルーチンに移行したときは、ペーパＰは、ストック部３３の下部まで弛んだ状態で保持されるとともに、その先端がカットマークセンサＳ９の上流側まで搬送された状態になっている。これは、ペーパＰの現像部３への搬送中に瞬時電圧低下が生じたことを意味している。
【００８１】
そして、以上の手順により、確実に焼付け部２１で焼き付けられたペーパＰの下流側でマニュアルカットを行うことができ、切断された上流側のペーパＰの先端を待機センサＳ３の上流側まで戻すことによって、ペーパＰの損失を防止することができる。
【００８２】
また、現像部３の最短送り長さである５５０ｍｍだけ搬送した後でオートカットを行うことによって、オートカットを行う所定寸法（本実施形態では８ｍ）の計測を再開することができる。
【００８３】
図１１は図４のステップＳ４００の第７の処理サブルーチンのフローチャートである。
ステップＳ１２００〜Ｓ１２２０は、図１０のステップＳ１１００〜Ｓ１１２０と同一であるので、説明を省略する。
【００８４】
ステップＳ１２２０に続いて、搬送モータＭ３〜Ｍ５及びプロセサ駆動モータＭ６を駆動することにより、ペーパＰのマニュアルカッターＭＣより下流部分、すなわちペーパＰの露光済み部分が現像部３に向けて搬送されて（ステップＳ１２３０）、このサブルーチンを終了する。
【００８５】
第７の処理サブルーチンに移行したときは、ペーパＰは、その先端が位置センサＳ７とカットマークセンサＳ９の間まで搬送された状態になっており、以上の手順によって、確実に焼付け部２１で焼き付けられたペーパＰの下流側でマニュアルカットを行うことができ、切断された上流側のペーパＰの先端を待機センサＳ３の上流側まで戻すことによってペーパＰの損失を防止することができる。
【００８６】
図１２は図３のステップＳ４２０の第８の処理サブルーチンのフローチャートである。
ステップＳ１３００〜Ｓ１３２０は、図６のステップＳ６００〜Ｓ６２０と同一であるので、説明を省略する。
【００８７】
ステップＳ１３２０に続いて、ローディングモータＭ２が逆転駆動され（ステップＳ１３３０）、次いで、ローディングセンサＳ５によりペーパＰが検出されているかどうかが判別され（ステップＳ１３４０）、検出されている間は（ステップＳ１３４０でＹＥＳ）、ステップＳ１３３０に戻ってローディングモータＭ２の逆転駆動が継続され、ペーパＰが検出されなくなると（ステップＳ１３４０でＮＯ）、ローディングモータＭ２が停止し（ステップＳ１３５０）、ステップＳ１３６０に進む。
【００８８】
ステップＳ１３６０は、図７のステップＳ８００と同一であるので、説明を省略する。
【００８９】
なお、図７のステップＳ８００の場合と同様に、ステップＳ１３６０のメッセージ表示に対してＮＯキー４７３が押されたときは、通常動作処理（図２のステップＳ１２０）において、次の指示を待機し、ＹＥＳキー４７２が押されたときは、６８０ｍｍ分だけペーパＰを搬送する先端処理が行われて通常動作処理（図２のステップＳ１２０）の内の焼付け処理に直接移行する。
【００９０】
第８の処理サブルーチンに移行したときは、ペーパＰの終端がマガジン１１ａ又は１１ｂから送り出されてマガジン内は空であり、ペーパＰはローディングセンサＳ５の前後に亘った状態になっている。従って、ペーパＰを待機センサＳ３の上流側まで戻すことは不可能であるが、以上の手順により、ペーパＰをループ形成部３５において弛ませることによって、ペーパＰを先端あるいはオペレータの選択により先端から６８０ｍｍの位置から使用することができ、ペーパＰの損失を防止することができる。
【００９１】
図１３は図３のステップＳ４５０の第９の処理サブルーチンのフローチャートである。
まず、搬送モータＭ３〜Ｍ５及びプロセサ駆動モータＭ６を駆動することにより、ペーパＰが現像部３に向けて搬送される（ステップＳ１４００）。
【００９２】
そして、ペーパＰが現像部３に向けて５５０ｍｍだけ搬送されるまでは（ステップＳ１４１０でＮＯ）、ステップＳ１４００に戻って搬送が継続され、ペーパＰが５５０ｍｍだけ搬送されると（ステップＳ１４１０でＹＥＳ）、搬送モータＭ５が一旦停止し（ステップＳ１４２０）、次いで、オートカッターＡＣが駆動されてオートカットが行われる（ステップＳ１４３０）。
【００９３】
続いて、ペーパＰがレディセンサＳ１３により検出されているかどうかが判別され（ステップＳ１４４０）、ペーパＰが検出されている間は駆動状態がそのまま継続され（ステップＳ１４４０でＹＥＳ）、駆動しているプロセサ駆動モータＭ６によりペーパＰが搬送されることによって、レディセンサＳ１３により検出されなくなると（ステップＳ１４４０でＮＯ）、搬送モータＭ５の回転駆動が再開されて（ステップＳ１４５０）、このサブルーチンを終了する。
【００９４】
第９の処理サブルーチンに移行したときは、ペーパＰの終端がマガジン１１ａ又は１１ｂから送り出されてマガジン内は空であり、ペーパＰは、ローディングセンサＳ６の前後に亘った状態であって、かつ、ストック部３３のストックセンサＳ１２の位置まで弛ませた状態になっている。
【００９５】
そして、以上の手順により、現像部３の最短送り長さである５５０ｍｍだけ搬送した後でオートカットを行った後、通常動作に移行することによって、次の焼付け動作を行うことができ、ペーパＰの損失を防止することができる。
【００９６】
このように、電源が投入されたときに、各センサＳ１ａ〜Ｓ１３によるペーパＰの検出の有無及びバックアップＲＡＭ４４の記憶内容を判別し、その検出状態及び記憶内容に応じて、ペーパＰの搬送処理をＣＰＵ４９により自動的に行うようにしたので、動作中に瞬時電圧低下が生じたときでも、オペレータの作業が不要で、かつ、ペーパＰを無駄にすることがなく、作業性を向上するとともに、ペーパＰの使用効率を向上することができる。
【００９７】
また、上記実施形態では、２個のマガジン１１ａ，１１ｂを備えているので、一方のマガジンのペーパＰがなくなるか、又はペーパＰの幅や種類などが異なるペーパＰに変更する場合に、他方のマガジンのペーパＰに自動で切り換える切換部を備えることによって、マガジンの交換作業を軽減し、作業効率を向上することができる。なお、マガジンの個数は２個に限られず、３個以上でもよい。
【００９８】
なお、第１の処理サブルーチン（図５）、第２の処理サブルーチン（図６）、第３の処理サブルーチン（図７）、第５の処理サブルーチン（図９）、又は第８の処理サブルーチン（図１２）に、それぞれ移行するような状態では、供給ループガイド３４は開いているはずである。しかし、供給ループガイド３４が開いているかどうかを判別し、開いていなければ供給ループガイド３４を開くステップを設けることによって、瞬時電圧低下後に電源電圧レベルが復帰したときに、確実に供給ループガイド３４を開いた状態にすることができる。
【００９９】
また、バックアップＲＡＭ４４及び電池Ｂに代えて、ＥＥＰＲＯＭ（例えばフラッシュメモリ）などの書き換え可能な不揮発性メモリを用いるようにしてもよい。
【０１００】
【発明の効果】
以上説明したように、本発明によれば、電源が投入されたときに、感光材の搬送状態に応じて感光材の搬送制御を行うようにしたので、動作中に生じた瞬時電圧低下等の影響で電源投入時に感光材が感光材収納部から送り出されている場合でも、感光材の損失を低減することができるとともに、作業性を向上することができる。
【０１０１】
また、電源が投入されたときに、感光材の先端が焼付け部に到達しているか否かを判別し、感光材の先端が焼付け部に到達していない場合には、感光材を感光材収納部に戻すようにすることにより、動作中に生じた瞬時電圧低下等の影響で電源投入時に感光材が感光材収納部から送り出されている場合でも、自動的に感光材の先端から使用を再開することができることから、感光材の損失を低減することができるとともに、作業性を向上することができる。
【０１０２】
また、電源が投入されたときに、感光材の先端が焼付け部より搬送方向下流側に到達しているか否かを判別し、感光材の先端が焼付け部より搬送方向下流側に到達している場合には、感光材を少なくとも焼付け寸法だけ更に搬送することにより、感光材への焼付けが重ねて行われるのを確実に防止することができる。
【０１０３】
また、電源が投入されたときに、切断指示信号がバックアップメモリに記憶され、かつ切断終了信号が記憶されていない場合には、感光材を切断した後、切断された搬送方向下流側の感光材を搬出するとともに、切断された搬送方向上流側の感光材を感光材収納部に向けて戻す一方、切断終了信号が記憶されている場合には、切断されている搬送方向下流側の感光材を搬出するとともに、切断されている搬送方向上流側の感光材を感光材収納部に向けて戻すようにしたので、切断の指示後で切断終了前に瞬時電圧低下等が生じた場合でも、感光材の切断を確実に行うことができ、感光材の損失を低減することができるとともに、作業性を向上することができる。
【０１０４】
また、電源が投入されたときに、バックアップメモリに切断指示信号が記憶され、かつ切断終了信号が記憶されていない場合において、更に、搬送終了信号が記憶されていない場合には、搬送制御手段により感光材が少なくとも焼付け寸法だけ搬送された後で切断することにより、切断の指示後で感光材の搬送終了前に瞬時電圧低下等が生じた場合でも、感光材を確実に焼き付けられた感光材の下流側で切断することができ、これによって感光材の損失を低減することができる。
【図面の簡単な説明】
【図１】本発明に係る写真処理装置の一実施形態の制御系を示すブロック図である。
【図２】同実施形態の動作のメインルーチンのフローチャートである。
【図３】図２のステップＳ１１０のペーパ搬送処理サブルーチンのフローチャートである。
【図４】図２のステップＳ１１０のペーパ搬送処理サブルーチンのフローチャートである。
【図５】図３のステップＳ２５０の第１の処理サブルーチンのフローチャートである。
【図６】図３のステップＳ２７０の第２の処理サブルーチンのフローチャートである。
【図７】図３のステップＳ２９０の第３の処理サブルーチンのフローチャートである。
【図８】図４のステップＳ３１０、図３のステップＳ４４０の第４の処理サブルーチンのフローチャートである。
【図９】図４のステップＳ３３０の第５の処理サブルーチンのフローチャートである。
【図１０】図４のステップＳ３９０の第６の処理サブルーチンのフローチャートである。
【図１１】図４のステップＳ４００の第７の処理サブルーチンのフローチャートである。
【図１２】図３のステップＳ４２０の第８の処理サブルーチンのフローチャートである。
【図１３】図３のステップＳ４５０の第９の処理サブルーチンのフローチャートである。
【図１４】本発明に係る写真処理装置の一実施形態の構成図である。
【符号の説明】
１  ペーパ収納部（感光材収納部）
２  プリント部
２１  焼付け部
３  現像部
４  乾燥部
５  排出部
４１  ペーパ検出部
Ｓ１ａ〜Ｓ１３  センサ（搬送状態判別手段）
４２  アクチュエータ部
Ｍ１〜Ｍ７  モータ（感光材搬送手段）
ＡＣ  オートカッター
ＭＣ  マニュアルカッター（切断手段）
ＳＬ  圧着ソレノイド
４３  駆動回路
４４  バックアップＲＡＭ（バックアップメモリ）
４５  ＲＯＭ
４６  ＲＡＭ
４７  表示部
４８  入力部
４８１  マニュアルカット指示キー（切断指示手段）
４８２  ＹＥＳキー
４８３  ＮＯキー
４９  ＣＰＵ（感光材搬送制御手段、記憶制御手段、感光材処理手段）
Ｂ  電池
【図１】
0003555350.tif 000002
【図２】
0003555350.tif 000003
【図３】
0003555350.tif 000004
【図４】
0003555350.tif 000005
【図５】
0003555350.tif 000006
【図６】
0003555350.tif 000007
【図７】
0003555350.tif 000008
【図８】
0003555350.tif 000009
【図９】
0003555350.tif 000010
【図１０】
0003555350.tif 000011
【図１１】
0003555350.tif 000012
【図１２】
0003555350.tif 000013
【図１３】
0003555350.tif 000014
【図１４】
0003555350.tif 000015